(57)【特許請求の範囲】
【請求項１】
磁気記録層を有する現像済みフイルムが巻き取られているカートリッジを収納するカートリッジ収納部と、
前記カートリッジ収納部に設けられ、該カートリッジ収納部に収納される前記カートリッジのスプールに係合する回転軸を有し、該回転軸をモータ駆動するフイルム供給手段と、
前記フイルム供給手段から供給されるフイルムを巻き取る巻取軸を有し、該巻取軸をモータ駆動するフイルム巻取手段と、
前記フイルム供給手段とフイルム巻取手段との間に位置する前記フイルムのコマ画像を観察する観察用窓と、
前記フイルムの１コマの搬送を検出するコマ検出手段と、
前記フイルムの磁気記録層に記録された磁気情報を読み取る読取手段と、
前記読取手段で読み取った磁気情報を表示する表示手段と、
前記コマ検出手段の検出出力に基づいて前記フイルム供給手段及び／又はフイルム巻取手段を制御し、前記フイルムの各コマ画像を前記観察用窓で観察可能な位置に搬送するとともに、該観察用窓で観察可能な位置に搬送されたコマ画像に対応する磁気情報を前記表示手段に表示させる制御手段と、
前記カートリッジ収納部に収納されたカートリッジが現像済みか否かを検出する検出手段と、を備え、
前記制御手段は、前記検出手段によって前記カートリッジ収納部に収納されたカートリッジが現像済みであることが検出されると、前記フイルム供給手段及びフイルム巻取手段を制御し、前記カートリッジからフイルムを引き出し、フイルムリーダー部を前記フイルム巻取手段の巻取軸に巻き付けるローディング動作を行わせることを特徴とする磁気記録層を有するフイルムのフイルムビューア。
【請求項２】
磁気記録層を有する現像済みフイルムが巻き取られているカートリッジを収納するカートリッジ収納部と、
前記カートリッジ収納部に設けられ、該カートリッジ収納部に収納される前記カートリッジのスプールに係合する回転軸を有し、該回転軸をモータ駆動するフイルム供給手段と、
前記フイルム供給手段から供給されるフイルムを巻き取る巻取軸を有し、該巻取軸をモータ駆動するフイルム巻取手段と、
前記フイルム供給手段とフイルム巻取手段との間に位置する前記フイルムのコマ画像を観察する観察用窓と、
前記フイルムの１コマの搬送を検出するコマ検出手段と、
前記フイルムの磁気記録層に記録された磁気情報を読み取る読取手段と、
前記読取手段で読み取った磁気情報を表示する表示手段と、
前記コマ検出手段の検出出力に基づいて前記フイルム供給手段及び／又はフイルム巻取手段を制御し、前記フイルムの各コマ画像を前記観察用窓で観察可能な位置に搬送するとともに、該観察用窓で観察可能な位置に搬送されたコマ画像に対応する磁気情報を前記表示手段に表示させる制御手段と、
前記カートリッジ収納部に収納されたカートリッジが現像済みか否かを検出する検出手段と、
前記カートリッジ収納部に収納されたカートリッジを自動的に排出する排出手段と、を備え、
前記制御手段は、前記検出手段によって前記カートリッジ収納部に収納されたカートリッジが未現像であることが検出されると、前記排出手段を動作させて該カートリッジを排出することを特徴とする磁気記録層を有するフイルムのフイルムビューア。
【請求項３】
磁気記録層を有する現像済みフイルムが巻き取られているカートリッジを収納するカートリッジ収納部と、
前記カートリッジ収納部に設けられ、該カートリッジ収納部に収納される前記カートリッジのスプールに係合する回転軸を有し、該回転軸をモータ駆動するフイルム供給手段と、
前記フイルム供給手段から供給されるフイルムを巻き取る巻取軸を有し、該巻取軸をモータ駆動するフイルム巻取手段と、
前記フイルム供給手段とフイルム巻取手段との間に位置する前記フイルムのコマ画像を観察する観察用窓と、
前記フイルムの１コマの搬送を検出するコマ検出手段と、
前記フイルムの磁気記録層に記録された磁気情報を読み取る読取手段と、
前記読取手段で読み取った磁気情報を表示する表示手段と、
前記コマ検出手段の検出出力に基づいて前記フイルム供給手段及び／又はフイルム巻取手段を制御し、前記フイルムの各コマ画像を前記観察用窓で観察可能な位置に搬送するとともに、該観察用窓で観察可能な位置に搬送されたコマ画像に対応する磁気情報を前記表示手段に表示させる制御手段と、
前記カートリッジに設けられた現像済みか否かを示す指示部材を検出し、未現像を示す指示部材を検出した際にはカートリッジの装填を阻止する阻止手段と、
を備えたことを特徴とする磁気記録層を有するフイルムのフイルムビューア。
【請求項４】
前記フイルムのコマ画像の周辺には光学情報が記録され、該光学情報は前記観察用窓から観察可能であることを特徴とする請求項１乃至３のいずれかに記載の磁気記録層を有するフイルムのフイルムビューア。
【請求項５】
フイルム送り方向に１コマ送りを指令するコマ送りスイッチと、フイルム戻し方向に１コマ送りを指令するコマ戻しスイッチとを有し、
前記制御手段は、前記コマ送りスイッチ又はコマ戻しスイッチが操作される毎に、前記フイルム巻取手段又はフイルム供給手段を制御して現在観察中のコマからフイルム送り方向又はフイルム戻し方向に１コマずつ送ることを特徴とする請求項１乃至３のいずれかに記載の磁気記録層を有するフイルムのフイルムビューア。
【請求項６】
請求項５の磁気記録層を有するフイルムのフイルムビューアにおいて、前記制御手段は、前記コマ送りスイッチ又はコマ戻しスイッチが押し続けられると、前記フイルム巻取手段又はフイルム供給手段を制御してフイルムを連続的にフイルム送り方向又はフイルム戻し方向に送ることを特徴とする磁気記録層を有するフイルムのフイルムビューア。
【請求項７】
請求項５又は６の磁気記録層を有するフイルムのフイルムビューアにおいて、前記制御手段は、前記フイルムの給送中に前記読取手段による前記磁気情報の読み取りを実行させることを特徴とする磁気記録層を有するフイルムのフイルムビューア。
【請求項８】
前記磁気情報の読み込み動作を実行させる情報読込スイッチを有し、
前記制御手段は、前記情報読込スイッチが操作されると、一旦フイルムのリーダー部まで巻き戻し、その後最終コマまでフイルムを早送りで給送するとともに、前記読取手段による前記磁気情報の読み取りを実行させるべく前記フイルム巻取手段、フイルム供給手段及び読取手段を制御することを特徴とする請求項１乃至３のいずれかに記載の磁気記録層を有するフイルムのフイルムビューア。
【請求項９】
前記カートリッジが前記カートリッジ収納部に装填されたか否かを検出するカートリッジ検出スイッチを有し、
前記制御手段は、前記カートリッジ検出スイッチによって前記カートリッジがカートリッジ収納部に装填されたことが検出されると、前記カートリッジ内のフイルムを給送するとともに、前記読取手段による前記磁気情報の読み取りを実行させるべく前記フイルム巻取手段、フイルム供給手段及び読取手段を制御することを特徴とする請求項１乃至３のいずれかに記載の磁気記録層を有するフイルムのフイルムビューア。
【請求項１０】
各コマの撮影条件、撮影年月日等を示す撮影情報と、各コマのタイトルを示すタイトル情報との表示切替えを指令する表示切換スイッチを有し、
前記制御手段は、前記表示切換スイッチの操作に応じて、前記表示手段に現在観察されているコマ画像の撮影情報及びタイトル情報のうちの一方を選択的に表示させることを特徴とする請求項１乃至３のいずれかに記載の磁気記録層を有するフイルムのフイルムビューア。
【発明の詳細な説明】
【０００１】
【発明の属する技術分野】
本発明は、カートリッジに収納されたフイルムをカートリッジから引き出して観察するフイルムビューアに係り、特にフイルムに磁気記録層が形成されたフイルムのフイルムビューアに関する。
【０００２】
【従来の技術】
最近では、フイルムを分断せずにカートリッジ内に収納し、このカートリッジをプリント写真と共にＤＰＥ取扱店からユーザーに返却する返却形態が提案されている。このような形態で返却されたフイルムでは、プリント写真の焼き増し依頼時に、従来の如くネガシースを介してコマ画像を観察することができないため、そこで本願出願人は、カートリッジからフイルムを引き出し、コマ画像を観察できるようにしたフイルムビューアを提案している。
【０００３】
このフイルムビューアは、カートリッジをビューア本体に装填し、ビューア本体に設けたフイルム引き出し用ノブを指で回すことにより、このノブに連結されたギヤ列を介してカートリッジのスプールを回転させて、フイルムをカートリッジから引き出すようにしている。引き出されたフイルムのコマ画像は、ビューア本体に開口された観察用窓から観察され、また順次引き出されたフイルムは、前記ノブに連動する巻取軸に巻き取られるようになっている。観察終了後には、前記ノブを逆転させて前記スプールを巻き戻し方向に回転させることによりフイルムをカートリッジに収納する。
【０００４】
前記カートリッジには、露光済みか未露光かを指示する指示部が形成されており、また、前記フイルムビューアには前記指示部のうち未露光の指示部を検出した際に、そのカートリッジの装填を阻止する阻止部が形成されている。
【０００５】
【発明が解決しようとする課題】
ところで、近年提案されている写真フイルムには、コマ毎に磁気記録層が形成されたものがあり、この磁気記録層に撮影日時、撮影サイズ、シャッター速度、Ｆ値、ストロボＯＮ／ＯＦＦ、ロールタイトル、コマタイトル等の情報を撮影時に磁気記録するようにしている。
【０００６】
しかしながら、前述した従来のフイルムビューアでは磁気記録層に記録された情報を読み取って、これを表示することはできないという欠点がある。
本発明はこのような事情に鑑みてなされたもので、磁気記録層を有するフイルムのコマ画像を簡易に確認することができるとともに、各コマに対応する磁気記録層に記録された磁気情報を表示することができるフイルムビューアを提供することを目的とする。
【０００７】
【課題を解決するための手段】
本発明は前記目的を達成するために、磁気記録層を有する現像済みフイルムが巻き取られているカートリッジを収納するカートリッジ収納部と、前記カートリッジ収納部に設けられ、該カートリッジ収納部に収納される前記カートリッジのスプールに係合する回転軸を有し、該回転軸をモータ駆動するフイルム供給手段と、前記フイルム供給手段から供給されるフイルムを巻き取る巻取軸を有し、該巻取軸をモータ駆動するフイルム巻取手段と、前記フイルム供給手段とフイルム巻取手段との間に位置する前記フイルムのコマ画像を観察する観察用窓と、前記フイルムの１コマの搬送を検出するコマ検出手段と、前記フイルムの磁気記録層に記録された磁気情報を読み取る読取手段と、前記読取手段で読み取った磁気情報を表示する表示手段と、前記コマ検出手段の検出出力に基づいて前記フイルム供給手段及び／又はフイルム巻取手段を制御し、前記フイルムの各コマ画像を前記観察用窓で観察可能な位置に搬送するとともに、該観察用窓で観察可能な位置に搬送されたコマ画像に対応する磁気情報を前記表示手段に表示させる制御手段と、を備えたことを特徴としている。
【０００８】
本発明によれば、カートリッジがカートリッジ収納部に収納された後、制御手段によって前記フイルム供給手段及び／又はフイルム巻取手段を制御することにより、前記カートリッジからフイルムを引き出し、フイルムリーダー部を前記フイルム巻取手段の巻取軸に巻き付け、またコマ検出手段から出力される１コマ分の搬送情報に基づいてフイルム搬送の停止制御を行い、前記フイルムの各コマ画像を観察用窓で観察可能な位置に搬送する。また、フイルムの搬送中に、フイルムの磁気記録層に記録された磁気情報をコマ毎に読み取り、この磁気情報を、前記観察用窓から観察されるコマ画像に対応して表示手段に表示する。尚、前記磁気情報は最初に一括して読み取っても良いし、１コマ送り毎に読み取っても良い。これにより観察用窓から所望のコマ画像を観察することができるとともに、そのコマ画像に対応して記録された磁気情報を確認することができる。
【０００９】
【発明の実施の形態】
以下添付図面に従って本発明に係る磁気記録層を有するフイルムのフイルムビューアの好ましい実施の形態について詳説する。
図１は本発明に係るフイルムビューアの外観を示す斜視図であり、このフイルムビューア１０のビューア本体１２は直方体状に形成されている。
【００１０】
前記ビューア本体１２の正面板１４の中央部には、矩形状の観察用窓１６が開口され、この観察用窓１６から後述するフイルムのコマ画像１８、及び後述する光学データ１９が観察可能となっている。また、観察用窓１６の図中右側方にはキーパネル２０が設けられている。このキーパネル２０には、フイルムの連続巻き戻しを指示する巻戻しボタン２２、フイルムの連続早送りを指示する早送りボタン２４、フイルムの１コマ分の巻き戻しを指示するＲＥＶボタン２６、フイルムの１コマ分の順送りを指示するＦＷＤボタン２８、カートリッジのイジェクトボタン３０、フイルムローディングを指示するＬｏａｄボタン３２、コマのフレーム番号を選択するフレーム番号ボタン３４、及びこのフレーム番号ボタン３４を押した後に観察したいコマ画像のフレーム番号をインプットする０〜９までのボタンを備えたテンキー３６が取り付けられている。
【００１１】
前記ビューア本体１２の上板３８には、矩形状の液晶表示板（以下「ＬＣＤ」と称する）４０が埋め込み固定されている。前記ＬＣＤ４０には、フイルムの磁気記録層に形成された磁気情報が表示され、また、この磁気情報は、上板３８の右隅部に設けた表示切換ボタン４２を押すことにより表示内容が切り換えられるようになっている。前記磁気情報については後述する。
【００１２】
一方、ビューア本体１２内には図２に示すように、前記観察用窓１６を挟んで図中左側にカートリッジ４４の収納室４６が形成され、また図中右側にはカートリッジ４４から引き出されたフイルム４８の巻取室５０が形成されている。
前記収納室４６は、ビューア本体１２の底板５２側に開口され、この開口部５４からカートリッジ４４が出し入れされるようになっている。また、前記開口部５４は、底板５２にヒンジ５６を介して取り付けられた底蓋５８によって開閉される。
【００１３】
前記収納室４６に収納されるカートリッジ４４は、図３に示すタイプのものであり、カートリッジ４４を構成する胴体部６０、スプール６２、及び遮光部材６４等の全ての部材がプラスチックで形成されている。そして、カートリッジ４４は、フイルム４８（図４参照）を先端まで前記スプール６２に巻き込んでおき、使用するときにスプール６２の回転によってフイルム４８を出入口６８からカートリッジ４４の外部へ送り出すタイプのものである。
【００１４】
フイルム４８は図４に示すように、コマ画像１８の始端を示すパーフォレーション７０Ａと終端を示すパーフォレーション７０Ｂがフイルム４８の長手方向に沿ってコマ毎に形成され、また、前記パーフォレーション７０Ａと７０Ｂとの間には磁気記録層７２が形成されている。この磁気記録層７２には、そのコマの撮影日時、標準、ハイビジョン、パノラマを示す撮影サイズ、シャッター速度、Ｆ値、ストロボＯＮ／ＯＦＦ、ロールタイトル、コマタイトル等の情報が撮影時に磁気記録されている。
【００１５】
また、光学データ１９は３つの枠部から構成されるもので、これらの枠部はカメラの撮影時に設定された撮影サイズに応じて露光されるものである。例えば、左端の枠部のみが露光されているコマ画像はハイビジョンサイズで撮影されたものと、また、左端と中央の枠部が露光されているコマ画像はパノラマサイズで撮影されたものと、全ての枠部が露光されているコマ画像は標準サイズで撮影されたものと前記観察用窓１６を介して使用者が視認できるようになっている。前記カートリッジ４４には図３に示すように、スプール６２の凹部７４に爪７６が設けられている。前記爪７６は、該カートリッジ４４に収納されたフイルムが現像済みか未現像かを示すもので、現像済みである場合には、ラボ等で折られ取り除かれてユーザーに返却される。この爪７６は、前記ビューア本体１２の底蓋５８の内側に形成した突起７８により、その有無が検出される。即ち、この突起７８は、底蓋５８を閉じた際に前記スプール６２の凹部７４に挿入される。従って未現像のカートリッジ４４を誤って装填された場合には、突起７８が爪７６に当たって底蓋５８が閉まらない。これにより、未現像のカートリッジを誤って装填しようとした場合には、そのカートリッジの露光を防止することができる。
【００１６】
前記スプール６２の他端には図２に示すようにリブ８０が形成される。このリブ８０は、カートリッジ４４の装填時に回転軸８２のスリット８４に係合され、回転軸８２からの回転力が伝達されるようになっている。これにより、スプール６２が回転され、フイルム４８がカートリッジ４４から引き出されたり、カートリッジ４４に巻き戻されたりする。
【００１７】
前記巻取室５０には、フイルム４４の巻取軸８６が配設される。前記巻取軸８６はその上端と下端とがビューア本体１２に回転自在に支持されている。また、巻取軸８６の上部にはギヤ８８が固着され、このギヤ８８は図５に示すクラッチ９０を介してモータ９２に連結されている。前記クラッチ９０は、ギヤ８８に加わるトルク（即ち、フイルム４８の巻き取りトルク）が所定のトルクを越えた時に、ギヤ８８をモータ９２に対して滑らせるもので、フイルム４８を定速で巻取軸８６に巻き取らせるようにしたものである。また、前記モータ９２の駆動力は、図示しないギヤ機構を介して回転軸８２のギヤ９４（図２参照）にも伝達されるようになっている。
【００１８】
前記ギヤ機構は、スプール６２を回転させてフイルム４８を送り出し、フイルム４８の先端が巻取軸８６に巻き取られるまで回転軸８２側に動力を伝達し、それ以後の巻き取り時には巻取軸８６側のみに動力を伝達するように構成されている。また、ギヤ機構は、フイルム４８のカートリッジ４４への巻き戻し時には、回転軸８２側のみに動力を伝達する。
【００１９】
前記モータ９２は、図５に示すモータドライバ９６からの駆動信号によって駆動され、またモータドライバ９６はビューア本体１２内に内蔵されたＣＰＵ９８によって、モータ９２に出力する回転方向と回転量とが制御されている。
前記ＣＰＵ９８には、図１、図５に示したキーパネル２０からの各ボタン２２乃至３６の操作に対応した指令信号が出力される。ＣＰＵ９８は、前記指令信号が出力されると、その信号に対応した動作をモータ９２が行うようにモータドライバ９６を制御する。
【００２０】
ところで、カートリッジ４４から引き出されたフイルム４８は、図５に示すガイド板１００に沿って搬送され、そして、観察用窓１６を通過した後、ガイド板１０２に沿って巻取軸８６に巻き取られる。ガイド板１００側には、パーフォレーションセンサ１０４が設けられる。パーフォレーションセンサ１０４は、搬送されてきたフイルム４８の始端側のパーフォレーション７０Ａ（図４参照）、及び終端側のパーフォレーション７０Ｂ（図４参照）を１コマ毎に検出し、検出した際にＨレベルの検出信号をＣＰＵ９８に出力する。本実施の形態では、パーフォレーションセンサ１０４が、始端側のパーフォレーション７０Ａを検出したときに、そのコマ画像の前方のコマ画像が観察用窓１６に位置するようになっている。また、パーフォレーションセンサ１０４の近傍には、キャプスタンローラ１０５が配置される。キャプスタンローラ１０５は、前記モータ９２からの回転力が伝達され、カートリッジ４４から引き出されたフイルム４８は、キャプスタンローラ１０５の回転力によって一定速度で搬送される。
【００２１】
また、ガイド板１０２には光センサ１０６と磁気ヘッド１０８が並設されている。前記光センサ１０６は、光学データ１９の撮影サイズと、またコマ番号を示すバーコード等の光学データ１９が記録されている場合に該光学データ１９を読み取るものであり、これらの光学データは光学データ読取装置１１０によって再生処理されてＣＰＵ９８のＲＡＭ１１２に記憶される。前記磁気ヘッド１０８は、フイルム４８の磁気記録層７２に記録された磁気情報を読み取るもので、読み取った情報は磁気情報再生装置１１４によって再生されてＣＰＵ９８の前記ＲＡＭ１１２に記憶される。尚、符号１１５は、観察用窓１６に位置したコマ画像を背面側から照射する光源である。また、符号１１６はアラームであり、このアラーム１１６は、フイルム４８のカートリッジ４４への巻き戻し終了時やフイルム４８の異常搬送時等に電子音が発生するようにＣＰＵ９８により制御されている。
【００２２】
ＲＡＭ１１２に記憶された情報は、ＣＰＵ９８により必要時に読みだされ、図６に示すＬＣＤ４０に表示される。図６（Ａ）に示す第１画面には、例えば、ニチジ（撮影日時）、サイズ（撮影サイズ）、シャッター（シャッタ速度）、シボリ（Ｆ値）、ストロボ（ストロボＯＮ／ＯＦＦ）が表示され、そして、表示切換ボタン４２（図１参照）によって切り換えられた（Ｂ）に示す第２画面にはロールタイトル、コマタイトルが表示される。
【００２３】
次に、前記の如く構成されたフイルムビューア１０の使用方法について図７に示すフローチャートを参照しながら説明する。
先ず、カートリッジ４４をビューア本体１２に装填する（Ｓ１）。次に、キーパネル２０のＬｏａｄボタン３２を押して（Ｓ２）、フイルムローディングを開始し、カートリッジ４４内の全フイルム４８をモータ９２の駆動力で引き出すと共に巻取軸８６に向けて搬送する。そして、このフイルム搬送中に、フイルム４８の磁気記録層７２に記録された磁気情報を磁気ヘッド１０８によって読み取り、この読み取った情報をＲＡＭ１１２にコマ毎に記憶する（Ｓ３）。また、フイルム４４に光学データが記録されている場合には、この光学データを光センサ１０６によって読み取り前記ＲＡＭ１１２に記憶する。
【００２４】
全フイルム４８の搬送が終了すると、モータ９２を逆転させて全フイルム４８のカートリッジ４４への巻き戻しを行う。この時、全磁気記録層７２の読み取りにエラーが生じたか否を予め確認しておき（Ｓ４）、エラーが生じている場合には、この巻き戻し動作中に再度読み取りを行う（Ｓ５）。そして、全フイルム４８の巻き戻し終了後に、前記エラーが解消したか否かを確認し（Ｓ６）、エラーが生じた磁気記録層７２は、磁気情報の書き込みエラーと判断してその情報は記憶しないようにする（Ｓ７）。
【００２５】
次に、キーパネル２０を操作して、コマ画像の観察を開始する（Ｓ８）。例えば、早送りボタン２４を押すと、ＣＰＵ９８はモータ９２を制御してフイルム４８の引き出しを開始し、そして、パーフォレーションセンサ１０４から２番目（コマ番号２）のコマ画像１８の始端側のパーフォレーション７０Ａを検出した信号が出力された時点でモータ９２を停止する。これにより、コマ番号１のコマ画像１８が観察用窓１６に位置するので、このコマ画像１８を観察用窓１６から観察することができる。この時ＣＰＵ９８は、コマ番号１の磁気情報をＲＡＭ１１２から読み出し、これをＬＣＤ４０に表示する。その後、ＦＷＤボタン２８を１コマ観察終了毎に押していくと、コマ番号１から後段のコマ画像を順に観察することができ、そして、その観察中のコマ画像に対応した磁気情報をＬＣＤ４０で確認することができる。
【００２６】
また、フレーム番号ボタン３４を押して観察したいコマ画像のコマ番号をテンキー３６によりインプットすると、ＣＰＵ９８はモータ９２を制御してそのコマ画像を観察用窓１６まで搬送すると共に、そのコマ画像の磁気情報をＲＡＭ１１２から読み出してＬＣＤ４０に表示する。これによって、所望のコマ画像と、その磁気情報とを一緒に確認することができる。
【００２７】
観察が終了してカートリッジ４４をビューア本体１２から取り出す場合には、キーパネル２０のＥｊｅｃｔボタン３０を押す（Ｓ９）。Ｅｊｅｃｔボタン３０が押されると、ＣＰＵ９８は、モータ９２を逆転させて全フイルム４８のカートリッジ４４への巻き戻しを行う（Ｓ１０）。そして、アラーム１１６により巻き戻し終了が確認された後、底蓋５８を開いてカートリッジ４４を取り出す。これによって、１つのカートリッジ４４に収納されたフイルム４８の観察が終了する（Ｓ１１）。
【００２８】
本実施の形態では、フイルム４８をモータ９８の駆動力で搬送すると共に、クラッチ９０によってフイルム４８の搬送中にかかるテンションを一定に保持したので、手動のフイルム搬送で前記テンションが可変する従来のフイルムビューアと比較して、フイルム４８の使用寿命を延ばすことができる。
図８は本発明に係るフイルムビューアの他の実施の形態を示す斜視図である。また、図９は図８に示したフイルムビューアの分解斜視図であり、図１０は図８に示したフイルムビューアの拡大平面図である。
【００２９】
これらの図面に示すように、このフイルムビューアのカートリッジ収納部１２０には、蓋１２２が設けられており、この蓋１２２を開けてカートリッジをカートリッジ収納部１２０に挿入する。このカートリッジの挿入により、カートリッジ収納部内に設けられているポップアップ機構のポップアップ部材（図示せず）が押し下げられ、また、カートリッジを挿入した後、蓋１２２を閉めると、蓋１２２がロックされる。
【００３０】
また、このフイルムビューアの上面には、観察用窓１２４、取出しスイッチ１３０、情報読込スイッチ１３１、表示切換スイッチ１３２、送りスイッチ１３３、戻しスイッチ１３４、及びＬＣＤ１４０が設けられている。尚、カートリッジ収納部１２０には、カートリッジのスプールに係合する回転軸を有し、この回転軸をモータ駆動するフイルム供給機構が設けられ、また、フイルム供給機構に対向する位置には、フイルム供給機構から供給されるフイルムを巻き取る巻取軸を有し、この巻取軸をモータ駆動するフイルム巻取機構が設けられているが、これらのフイルム供給機構及びフイルム巻取機構は、図２に示したものと同様に構成されているため、その詳細な説明は省略する。
【００３１】
次に、コマ画像を観察用窓１２４で観察する場合の観察光学系について説明する。図９に示すように、観察しようとする所望のコマ画像は、フイルム搬送路上の所定の観察位置Ｐに停止させられる。この観察位置Ｐには、コマ画像を照明するためのランプ１２５Ａを備えたランプハウス１２５が配設されている。また、フイルム搬送路を挟んでランプハウス１２５と対向する位置には、反射ミラー１２６が配設されている。更に、観察用窓１２４には、レンズホルダー１２７によってレンズ１２８Ａ、１２８Ｂが配設されている。
【００３２】
上記構成の観察光学系により、ランプハウス１２５によって照明されたコマ画像の透過光は、反射ミラー１２６及びレンズ１２８Ａ、１２８Ｂを介して観察用窓１２４に導かれ、これにより観察用窓１２４によりコマ画像を観察することができる。尚、図９上で、１２９はランプ１２５Ａの交換時に開閉されるランプカバーである。
【００３３】
次に、上記構成のフイルムビューアの動作について、図１１に示すフローチャートを参照しながら説明する。
まず、フイルムビューアにＡＣアダプタを接続し、フイルムビューアに電源の供給を可能にする（Ｓ２０）。続いて、カートリッジをカートリッジ収納部１２０に挿入し、蓋１２２によりロックする（Ｓ２１）。このとき、挿入されたカートリッジが現像済みか否かをカートリッジに設けれている爪７６（図３参照）の有無によって判別し（Ｓ２２）、爪７６が折れていない場合には、「未現像であること」を示すエラーメッセージをＬＣＤ１４０に表示し、その後、自動イジェクトする（Ｓ２３）。即ち、蓋１２２のロックが解除され、ポップアップ機構の動作によってカートリッジが排出される。
【００３４】
一方、カートリッジが現像済みの場合（爪７６が折れている場合）には、カートリッジからフイルムを引き出し、フイルムリーダー部をフイルム巻取機構の巻取軸（図示せず）に巻き付けるローディング動作を行わせる（Ｓ２４）。このローディング動作終了時には、フイルムの先頭コマのコマ画像が観察用窓１２４で観察できる観察位置に停止し、また、コマ画像を照明する光源が点灯される。
【００３５】
ここで、情報読込スイッチ１３１を押下すると（Ｓ２５）、先頭コマが観察位置で停止している場合には直ちに、先頭コマが観察位置にない場合には先頭コマまでフイルムを一旦巻き戻した後（Ｓ２６）、フイルムを最終コマまで連続的に早送りして停止させる（Ｓ２８）。また、この連続早送り中に、フイルムリーダー部の磁気記録層（以下、リーダートラックという）及び各コマに対応する磁気記録層（以下、フレームトラックという）に記録されている各磁気情報は連続的に読み取られ、この読み取られた磁気情報はＲＡＭに記憶される（Ｓ２７）。
【００３６】
従って、磁気情報の読み込みが終了した時点では、最終コマが観察用窓１２４によって観察できるようになっており、また、ＬＣＤ１４０には最終コマの磁気情報が表示される。
さて、任意のコマ画像が観察位置に停止している状態で、送りスイッチ１３３又は戻しスイッチ１３４を押すと、フイルムは送り方向又は戻し方向に１コマ送りされ、これにより観察用窓１２４では、現在のコマよりも１コマ後又は１コマ前のコマ画像を確認できるようになる（Ｓ２９）。また、磁気情報の読み込みが終了している場合には、現在観察位置に停止しているコマ画像の磁気情報がＬＣＤ１４０に表示される。
【００３７】
コマ画像等の確認終了後、取出しスイッチ１３０が押されると（Ｓ３０）、光源が消灯され、カートリッジ内にフイルムが巻き戻される（Ｓ３１）。そして、フイルム巻取りが終了すると、蓋１２２のロックが解除され、カートリッジはポップアップ機構により自動的にカートリッジ収納部１２０から排出される（Ｓ３２）。
【００３８】
尚、送りスイッチ１３３又は戻しスイッチ１３４を押し続けると、フイルムは送り方向又は戻し方向に連続的に給送される。また、このフイルムビューアはパワーセーブ機能を有しており、ステップＳ２０に示したようにＡＣアダプタが接続され、フイルムビューアに電源の供給を可能な状態で、カートリッジが挿入され蓋１２２が閉じられると、又は上記スイッチ等が押されると、パワーオンとなる。その後、通常のパワーオンの状態からスイッチ等の無操作時間が、例えば３分経過すると、省電力と光源の光熱によるフイルムの劣化防止のために、光源を消灯して電源をオフにするパワーセーブモードとなる。このパワーセーブモード時に、いずれかのスイッチが操作されると、再度電源をオンにし、光源を点灯させる。
【００３９】
次に、ＬＣＤ１４０に表示される各種磁気情報の詳細について説明する。
図１２は撮影条件、撮影年月日等を示す撮影情報を表示したＬＣＤ１４０の平面図である。同図に示すように、ＬＣＤ１４０には、▲１▼コマ番号、▲２▼撮影年月日、▲３▼撮影時刻、▲４▼プリントタイプ、▲５▼プリント枚数、▲６▼シャッタースピード及び▲７▼絞り値（Ｆナンバー）がシルク表示される。
【００４０】
▲１▼コマ番号表示
観察用窓１２４によって観察できるようになっている、現在停止しているコマのコマ番号を表示する。
▲２▼撮影年月日の表示
撮影年月日を示すデータのうち、月（ＭＭ）の値により、次表に示すように表示内容を変更して表示する。
【００４１】
【表１】
0003588788.tif 000002
尚、表１において、“ＤＤ”は日、“ＹＹ”は年、“＊＊”は印刷を行わないことを意味する。また、撮影年月日を示すデータは、カメラによってフイルムの磁気記録層に記録されるが、表１に示すように年月日の印刷順序を変える場合や、年月日の印刷を行わない場合には、撮影した月に対してオフセット値０、１６、３２、４８を加算し、その加算した月データに書き換えることによって行っている。この月データの書換えは、焼き増し時の注文が可能なフイルムプレーヤ等によって行うことができる。
【００４２】
▲３▼撮影時刻の表示
撮影時刻を示す時刻データ（ＨＨＭＭ）の値により、次表に示すように表示内容を変更して表示する。
【００４３】
【表２】
0003588788.tif 000003
尚、表１に示すように撮影時刻の表示方法を変える場合や、撮影時刻の印刷を行わない場合には、撮影した時間に対してオフセット値０、２４、４８を加算し、その加算した時間データに書き換えることによって行っている。この時間データの書換えは、月データの書き換えと同様にフイルムプレーヤ等によって行うことができる。
【００４４】
▲４▼プリントタイプの表示
標準プリント（Ｃ）、ハイビジョンプリント（Ｈ）、パノラマプリント（Ｐ）を示すＣＨＰのいずれかの文字を表示する。
▲５▼プリント枚数の表示
プリント注文枚数を０〜９９の範囲で表示する。
【００４５】
▲６▼シャッタースピードの表示
アペックス・バリュー（ＡＰＥＸ  ＶＡＬＵＥ）  に対応したシャッタースピードを表示する。尚、表示内容と、ＬＣＤ１４０上での桁の位置は次表の通りである。
【００４６】
【表３】
0003588788.tif 000004
▲７▼Ｆナンバーの表示
アペックス・バリュー（ＡＰＥＸ  ＶＡＬＵＥ）  に対応したＦナンバーを表示する。尚、表示内容と、ＬＣＤ１４０上での桁の位置は次表の通りである。
【００４７】
【表４】
0003588788.tif 000005
尚、撮影年月日、撮影時刻のフロント及びバックプリントは、適宜指定することができ、バックプリントのみプリント指定されている場合には、撮影年月日の前に「Ｂ」を表示し、両方ともプリント指定されている場合には、撮影年月日の前に「＆」を表示する。両方ともプリント指定されていない場合には、〔表１〕及び〔表２〕に示したように各データ表示部に「＊」を表示する。
【００４８】
一方、ＬＣＤ１４０に上記各種の撮影情報が表示されているときに、表示切換スイッチ１３２を押すと、ＬＣＤ１４０の表示内容がタイトル情報に切り換えられる。
タイトルには、ユーザーが文字選択コードから適宜選択して作成した自由タイトルと、選択タイトル一覧表から選択した選択タイトルとがある。また、これらのタイトルには、フイルムのリーダートラックに記録された全コマ共通のロールタイトルと、各コマに対応したフレームトラックに記録されたコマ別のコマタイトルとがある。
【００４９】
いま、リーダー／コマトラックから読み取ったタイトル情報が自由タイトルを示す場合には、図１３（Ａ）に示すように自由タイトルを示す「Ｆ」を表示し、タイトル情報が選択タイトルを示す場合には、同図（Ｂ）に示すように選択タイトルを示す「Ｓ」を表示する。また、ロールタイトルは、ＬＣＤ１４０の上段に表示し、コマタイトルはＬＣＤ１４０の下段に表示する。尚、表示文字数は、１８文字以内で、それ以上の文字はスクロールして表示する。また、タイトルのバックプリントの優先順位の指定がある場合には、「Ｆ：」を表示し、指定がない場合には「Ｆ＊」を表示する。更に、上記選択タイトルの情報は、日本語、英語等の言語コード「Ｌ−○○」と、クリスマス、誕生日等のタイトルコード「Ｔ−○○」とからなり、この言語コード及びタイトルコードに対応した文字、又はコード自体「「Ｌ−○○  Ｔ−○○」が表示される。
【００５０】
次に、ＬＣＤ１４０におけるその他の表示例について説明する。
情報読込スイッチ１３１が操作されず、磁気情報の読み込みが行われていない場合には、ＬＣＤ１４０には現在のコマ番号のみを表示する。また、この場合には、表示切換スイッチ１３２の操作による表示切換は行わない。
一方、磁気情報の読み込みを行ったが、あるコマの磁気情報にエラーがあった場合には、図１４（Ａ）に示すようにコマ画像の撮影情報の表示モード時には、「−−」を表示し、タイトル情報の表示モード時には、同図（Ｂ）に示すようにコマタイトルの表示位置に「ジョウホウガ  ヨメマセン」が表示される。また、リーダートラックから読み取ったロールタイトルにエラーがあった場合には、図１５に示すようにロールタイトルの表示位置に「ジョウホウガ  ヨメマセン」が表示される。更に、未現像のカートリッジが挿入された場合には、図１６に示すように「ミゲンゾウ  フイルム  デス」が表示され、フイルム搬送等の異常が発生した場合には、図１７に示すように「フイルム  オクリ  エラー」が表示される。
【００５１】
尚、上記実施の形態では、図１１のステップＳ２２、Ｓ２４に示したようにカートリッジ収納部に装填されたカートリッジが現像済みの場合には、自動的にローディング動作を行わせるようにしたが、これに限らず、カートリッジ収納部内にカートリッジが装填されたか否かを検出するカートリッジ検出スイッチを設け、このカートリッジ検出スイッチによってカートリッジがカートリッジ収納部に装填されたことが検出されると、自動的にローディング動作を行わせるとともに、フイルムを給送して磁気情報の読み取りを行うようにしてもよい。
【００５２】
また、磁気情報は最初に一括して読み取る場合に限らず、１コマ送り毎に読み取るようにしてもよい。即ち、ローディング動作時には、フイルムの先頭コマのコマ画像が観察用窓で観察できる観察位置にセットされるため、フイルムリーダー部と先頭コマに対応する磁気情報を読み取る。その後、先頭コマのコマ送り時に２コマ目の磁気情報を読み取り、２コマ目のコマ送り時に３コマ目の磁気情報を読み取り、以下同様にしてｎコマ目のコマ送り時に（ｎ＋１）コマ目の磁気情報を読み取る。この場合、カートリッジと観察用窓との間に再生ヘッドを配置する必要がある。
【００５３】
【発明の効果】
以上説明したように本発明に係るフイルムビューアによれば、観察用窓を介してフイルムのコマ画像を簡易に確認することができ、特にフイルムの磁気記録層に記録された磁気情報を読み取り、この磁気情報を観察用窓に表示されるコマ画像に対応してＬＣＤ等の表示手段に表示するようにしたため、各コマに対応して記録した磁気情報も確認することができる。
【図面の簡単な説明】
【図１】図１は本発明に係る磁気記録層を有するフイルムのフイルムビューアの外観を示す斜視図である。
【図２】図２は図１に示したフイルムビューアの一部破断部を含む正面図である。
【図３】図３は本発明に適用されるカートリッジの斜視図である。
【図４】図４はカートリッジ及びフイルムの説明図である。
【図５】図５は図１に示したフイルムビューアの制御系を示すブロック図である。
【図６】図６（Ａ）及び（Ｂ）は図１に示したフイルムビューアのＬＣＤ上の表示内容を示すＬＣＤの平面図である。
【図７】図１に示したフイルムビューアの動作を示すフローチャートである。
【図８】図８は本発明に係る磁気記録層を有するフイルムのフイルムビューアの他の実施の形態を示す斜視図である。
【図９】図９は図８に示したフイルムビューアの分解斜視図である。
【図１０】図１０は図９に示したフイルムビューアの拡大平面図である。
【図１１】図１１は図９に示したフイルムビューアの動作を示すフローチャートである。
【図１２】図１２は図９に示したフイルムビューアのＬＣＤ上の表示内容を示すＬＣＤの平面図である。
【図１３】図１３（Ａ）及び（Ｂ）はそれぞれ図９に示したフイルムビューアのＬＣＤ上の表示内容を示すＬＣＤの平面図である。
【図１４】図１４（Ａ）及び（Ｂ）はそれぞれ図９に示したフイルムビューアのＬＣＤ上の表示内容を示すＬＣＤの平面図である。
【図１５】図１５は図９に示したフイルムビューアのＬＣＤ上の表示内容を示すＬＣＤの平面図である。
【図１６】図１６は図９に示したフイルムビューアのＬＣＤ上の表示内容を示すＬＣＤの平面図である。
【図１７】図１７は図９に示したフイルムビューアのＬＣＤ上の表示内容を示すＬＣＤの平面図である。
【符号の説明】
１０…フイルムビューア
１２…ビューア本体
１６、１２４…観察用窓
１８…コマ画像
２０…キーパネル
４０、１４０…ＬＣＤ
４４…カートリッジ
４８…フイルム
７０Ａ、７０Ｂ…パーフォレーション
７２…磁気記録層
８６…巻取軸
９２…モータ
９８…ＣＰＵ
１０４…パーフォレーションセンサ
１０６…光センサ
１０８…磁気ヘッド
１２０…カートリッジ収納部
１２２…蓋
１３０…取出しスイッチ
１３１…情報読込スイッチ
１３２…表示切換スイッチ
１３３…送りスイッチ
１３４…戻しスイッチ
【図１】
0003588788.tif 000006
【図２】
0003588788.tif 000007
【図３】
0003588788.tif 000008
【図４】
0003588788.tif 000009
【図５】
0003588788.tif 000010
【図６】
0003588788.tif 000011
【図７】
0003588788.tif 000012
【図８】
0003588788.tif 000013
【図９】
0003588788.tif 000014
【図１０】
0003588788.tif 000015
【図１１】
0003588788.tif 000016
【図１２】
0003588788.tif 000017
【図１３】
0003588788.tif 000018
【図１４】
0003588788.tif 000019
【図１５】
0003588788.tif 000020
【図１６】
0003588788.tif 000021
【図１７】
0003588788.tif 000022